(57)【要約】【課題】複数のディスプレイに映像表示を行う場合でも映像処理経路に含まれるＧＤＣ、ＡＳＩＣの数量の増加を抑制し、ディスプレイごとに最適な表示フレームレートで映像情報を分配する技術を提供する。【解決手段】映像システムは、所定のフレーム伝送レートのフレーム列で映像を出力する映像生成装置と、映像生成装置から前記フレーム伝送レートのフレーム列で映像を受信し、映像を表示装置に出力する出力制御装置と、複数の表示装置と、を備え、映像生成装置は、複数の表示装置にそれぞれ出力される複数の映像のフレーム列を組合せた合成映像のフレーム列を出力し、出力制御装置は、合成映像のフレーム列からぞれぞれの表示装置に出力される個別映像のフレーム列を抽出する。【選択図】図２
2013213859.tif 000002
【特許請求の範囲】
【請求項１】
所定のフレーム伝送レートのフレーム列で映像を出力する映像生成装置と、
前記映像生成装置から前記フレーム伝送レートのフレーム列で映像を受信し、前記映像を表示装置に出力する出力制御装置と、
複数の表示装置と、を備え、
前記映像生成装置は、複数の表示装置にそれぞれ出力される複数の映像のフレーム列を組合せた合成映像のフレーム列を出力し、
前記出力制御装置は、前記合成映像のフレーム列からぞれぞれの表示装置に出力される個別映像のフレーム列を抽出する映像システム。
【請求項２】
前記映像生成装置は、第１の表示装置に出力される個別映像のフレーム列のフレームと第２の表示装置に出力される個別映像のフレーム列のフレームとを所定の割合で配列して出力することで前記合成映像のフレーム列を出力し、
前記出力制御装置は、前記合成映像のフレーム列からそれぞれの表示装置に出力される個別映像のフレームを前記所定の割合で抽出する請求項１に記載の映像システム。
【請求項３】
前記映像生成装置は、合成される映像の数の倍率で前記所定のフレームレートを増倍した増倍フレームレートで前記合成映像のフレーム列を出力する請求項１に記載の映像システム。
【請求項４】
前記映像生成装置は、一の表示装置に出力される個別映像が静止画像であるときに、前記静止画像が変更された画像を、他の表示装置に出力される映像のフレーム列中の一のフレームとして割り込ませて合成映像のフレーム列を出力するとともに、前記割り込ませた一のフレームを特定する特定信号を出力し、
前記出力制御装置は、前記フレームを特定する特定信号にしたがって前記割り込ませた一のフレームを前記合成映像のフレーム列から分離する請求項１の映像システム。
【請求項５】
前記所定のフレーム伝送レートで出力されるフレーム列は、フレームの有効期間とフレーム間のブランキング期間とを有し、
前記映像生成装置は、第１の表示装置に出力される個別映像のフレーム列を前記ブランキング期間に出力し、
前記出力制御装置は、前記有効期間の個別映像のフレーム列を第１の表示装置に出力し、前記ブランキング期間の個別映像のフレーム列を他の表示装置に出力する請求項１に記載の映像システム。
【請求項６】
前記映像生成装置は、前記ブランキング期間に出力されるフレーム列を前記ブランキング期間の長さに応じて縮小し、
前記出力制御装置は、前記ブランキング期間に取得したフレーム列を前記ブランキング期間の長さに応じて伸張して、個別映像のフレーム列に復元する請求項５に記載の映像システム。
【請求項７】
前記映像生成装置は、前記ブランキング期間に出力されるフレーム列を前記ブランキング期間の長さに応じて分割して、複数のブランキング期間に出力し、
前記出力制御装置は、前記ブランキング期間に取得したフレーム列を結合して、前記第２の表示装置に出力される個別映像のフレーム列に復元する請求項５に記載の映像システム。
【請求項８】
前記映像生成装置は、フレーム列の各フレームの縦方向または横方向の画素数を合成される個別映像の数で拡大し、前記拡大された各フレームに複数の個別映像の各フレームを
画素の横方向または縦方向に組み込み合せて合成フレームを生成し、各フレーム中の画素の送信レートを前記個別映像の数で増倍させた周波数で出力し、
前記出力制御装置は、前記合成フレームから画素の横方向または縦方向に組み合わせてそれぞれの個別映像のフレームを抽出する請求項１に記載の映像システム。
【請求項９】
所定のフレーム伝送レートのフレーム列で映像を出力する映像生成装置と、
前記映像を表示装置に出力する出力制御装置と、
複数の表示装置と、を備え、
所定のフレーム伝送レートのフレーム列で映像を出力する映像生成装置が、複数の表示装置にそれぞれ出力される複数のフレーム列を組み合わせた合成映像のフレーム列を出力するステップと、
前記出力制御装置が、
映像生成装置から前記フレーム伝送レートのフレーム列で映像を受信するステップと、
前記合成映像のフレーム列からそれぞれの表示装置に出力される個別映像のフレーム列を抽出するステップと、
前記個別映像のフレーム列をそれぞれの表示装置に出力するステップと、を実行する映像処理方法。
【発明の詳細な説明】
【技術分野】
【０００１】
本発明は、車両に搭載されるディスプレイへの映像処理方法の技術に関する。
【背景技術】
【０００２】
近年、車両に搭載されるディスプレイの数量は、提供されるコンテンツ（例えば、ナビゲーション、テレビジョン（ＴＶ）放送、ＤＶＤ（Digital Versatile Disk）やＢＤ（Blu-ray Disc）等の再生画像、カメラ撮影画像、車両状態を示す描画画像、ゲーム等）の多様化に伴い増加する傾向にある。
【０００３】
従来、提供されたコンテンツは、例えば、図１に示すように、ディスプレイごとに設けられた映像処理経路９０を介して各ディスプレイ上に表示されていた。図１の映像表示処理の形態は、７インチのメインディスプレイ９３に、６４０×４８０画素の画面解像度で表示画像を表示出力する映像処理経路９０と、４．３インチのサブディスプレイ９４に６４０×３５０画素の画面解像度で表示画像を表示出力する映像処理経路９０との、２系統の映像処理経路を備える。
【０００４】
例えば、ナビゲーションから供給された映像情報９３ａは、ＧＤＣ（Graphics Display
Controller）９１、ＡＳＩＣ（Application Specific Integrated Circuit）９２といった映像表示処理の専用ＬＳＩ（Large Scale Integration）を含む、一方の映像処理経路
９０を介して映像表示処理が施される。映像表示処理が施された映像情報９３ａは、例えば、センターコンソールに設けられたメインディスプレイ９３に表示出力される。同様に、エアコン等の作動状態を示す描画画像等の映像情報９４ａは、他方のＧＤＣ９１、ＡＳＩＣ９２を含む映像処理経路９０を介して映像表示処理が施され、例えば、メータフード内に設けられた４．３インチディスプレイ９４に表示出力される。
【０００５】
メインディスプレイ９３に表示出力される映像情報９３ａは、メインディスプレイ９３の表示画面を更新するフレームレート周期（表示フレームレート）で、映像処理経路９０から出力される。また、サブディスプレイ９４に表示出力される映像情報９４ａも同様に、サブディスプレイ９４の表示画面を更新するフレームレート周期（表示フレームレート）で、映像処理経路９０から出力される。
【０００６】
なお、本明細書で説明する技術に関連する技術が記載されている文献としては、以下の特許文献１乃至３が存在している。
【先行技術文献】
【特許文献】
【０００７】
【特許文献１】特開平４−２９７２２２号公報
【特許文献２】特開２００７−２４９７５３号公報
【特許文献３】特開２００４−２５８８７１号公報
【発明の概要】
【発明が解決しようとする課題】
【０００８】
図１に示すように、従来の映像表示処理の形態では、映像を表示するディスプレイの数だけＧＤＣ及びＡＳＩＣを含む映像処理経路を必要としていた。しかしながら、映像処理経路に含まれるＧＤＣは安価でないため、提供される映像コンテンツの増加に対応しようとすれば、システム全体としてのコストアップが課題となっていた。また、映像処理経路を複数に備える場合には、ＧＤＣ及びＡＳＩＣといった専用ＩＣを搭載する基板サイズの
増大化を招く虞がある。
【０００９】
また、複数のディスプレイで映像処理経路を共有しようとする場合、映像処理経路は、映像情報を出力するための、ディスプレイごとに異なる表示フレームレートを考慮しなければならない。つまり、映像処理経路は、各ディスプレイに映像情報を表示するための、複数のＡＳＩＣ間で表示フレームレートを調停できる調停回路を必要としていた。
【００１０】
開示の技術の課題は、複数のディスプレイに映像表示を行う場合でも映像処理経路に含まれるＧＤＣ、ＡＳＩＣの数量の増加を抑制し、ディスプレイごとに最適な表示フレームレートで映像情報を分配する技術を提供することにある。
【課題を解決するための手段】
【００１１】
開示の技術の一側面は、次の映像システムの構成によって例示される。すなわち、映像システムは、所定のフレーム伝送レートのフレーム列で映像を出力する映像生成装置と、映像生成装置からフレーム伝送レートのフレーム列で映像を受信し、映像を表示装置に出力する出力制御装置と、複数の表示装置と、を備え、映像生成装置は、複数の表示装置にそれぞれ出力される複数の映像のフレーム列を組合せた合成映像のフレーム列を出力し、出力制御装置は、合成映像のフレーム列からぞれぞれの表示装置に出力される個別映像のフレーム列を抽出する。
【００１２】
このような構成によれば、映像生成装置は、複数の表示装置にそれぞれ出力される複数の映像のフレーム列を組合せた合成映像のフレーム列を所定のフレーム伝送レートで出力し、出力制御装置は、所定のフレーム伝送レートで出力された合成映像のフレーム列からぞれぞれの表示装置に出力される個別映像のフレーム列を抽出することができる。その結果、複数の表示装置に映像表示を行う場合でもＧＤＣ、ＡＳＩＣの数量を増加せずに映像処理経路が構成できる。ぞれぞれの表示装置に出力される個別映像のフレーム列の抽出は並列して行われ、表示装置ごとに最適なフレームレートで出力できる。
【発明の効果】
【００１３】
本映像システムによれば、複数のディスプレイに映像表示を行う場合でも映像処理経路に含まれるＧＤＣ、ＡＳＩＣの数量の増加を抑制し、ディスプレイごとに最適なフレームレートで映像情報を分配する技術を提供できる。
【図面の簡単な説明】
【００１４】
【図１】従来の映像処理経路の構成を説明する図である。
【図２】本実施形態の映像システムの概略構成図である。
【図３】運転席正面のインストルメントパネルに設けられた２つのサブディスプレイに映像データを表示出力する例を示す図である。
【図４】本実施形態の映像システムの映像表示処理を例示するフローチャートである。
【図５】従来の映像処理経路による映像データの表示出力を説明する図である。
【図６】本実施形態のＧＤＣ／ＡＳＩＣ間のデータ出力を例示するタイミングチャートである。
【図７】ＡＳＩＣの概略ブロック図の例示である。
【図８】本実施形態のＧＤＣ／ＡＳＩＣ間のデータ出力を例示するタイミングチャートである。
【図９】実施例２の映像表示処理を例示するフローチャートである。
【図１０】実施例２の映像表示処理を例示するタイミングチャートである。
【図１１】実施例２の映像表示処理を例示するタイミングチャートである。
【図１２】実施例３の映像表示処理を説明する図である。
【図１３】実施例３の映像表示処理を例示するフローチャートである。
【図１４】実施例３の映像表示処理を例示するタイミングチャートである。
【図１５】本実施形態の映像システムを備えたＡＶＮ機を例示する図である。
【発明を実施するための形態】
【００１５】
以下、図面を参照して、一実施形態に係る映像システムについて説明する。以下の実施形態の構成は例示であり、映像システムは実施形態の構成には限定されない。
【００１６】
以下、図２から図１５の図面に基づいて、映像システムを説明する。
【００１７】
〔装置構成〕
図２は、本実施形態の映像システムの概略構成図である。図２に例示の映像システム１０は、例えば、後述する車載用オーディオ・ビジュアル・ナビゲーション一体機（ＡＶＮ機）といった情報処理システムの一部を構成する。図２の映像システム１０には、例えば、ＡＶＮ機からナビゲーション、テレビジョン（ＴＶ）放送、ＤＶＤ（Digital Versatile Disk）やＢＤ（Blu-ray Disc）等の再生画像、カメラ撮影画像、車両状態を示す描画画像、ゲーム等といったＡＶＮ機が表示可能な、各種コンテンツが供給される。
【００１８】
映像システム１０は、上述した各種コンテンツごとに映像コンテンツが表示されるディスプレイ（表示装置）に応じた描画処理を行い、例えば、８ビットの階調情報を有する、赤（Ｒ）、緑（Ｇ）、青（Ｂ）といった色要素の画素で構成された映像データを生成する。そして、映像システム１０は生成された映像データに対し、例えば、線形補正による色補正やガンマ補正といった色調補正等の表示処理を行う。表示処理後の映像データは、ディスプレイごとに最適な表示フレームレートで、所定の画面解像度で該ディスプレイ上に表示される。
【００１９】
図２に例示する映像システム１０では、７インチサイズのメインディスプレイ１３に表示出力される映像コンテンツと４．３インチサイズのサブディスプレイ１４に表示出力される映像コンテンツの２系統のコンテンツが供給される。メインディスプレイ１３は、例えば、ステアリング側方の、センターコンソールといった運転席と助手席とを隔てる部分に配置され、サブディスプレイ１４は、例えば、運転席正面のインストルメントパネルに配置される。メインディスプレイ１３は、ＶＧＡ（Video Graphics Array）といった６４０×４８０画素の画面解像度を有し、サブディスプレイ１４は、ＥＧＡ（Enhanced Graphics Adapter）といった６４０×３５０画素の画面解像度を有する。
【００２０】
映像システム１０は、供給された２系統の映像コンテンツに対し、上述したディスプレイごとの描画処理および表示処理を並列して実行する。そして、映像システム１０で処理された２系統の映像データは、後述するように、各ディスプレイに最適な表示フレームレートで並列して出力される。その結果、映像システム１０は、例えば、ナビゲーション、テレビジョン（ＴＶ）放送、ＤＶＤ（Digital Versatile Disk）やＢＤ（Blu-ray Disc）等の再生画像といった映像コンテンツを、ＶＧＡ（Video Graphics Array）といった６４０×４８０画素の画面解像度で７インチサイズのメインディスプレイ１３上に表示できる。また、メインディスプレイ１３への映像表示処理と並列して、例えば、カメラ撮影画像、車両状態を示す描画画像等といった映像コンテンツを、ＥＧＡ（Enhanced Graphics Adapter）といった６４０×３５０画素の画面解像度で４．３インチサイズのサブディスプ
レイ１４に表示できる。
【００２１】
本実施形態の映像システム１０は、ＧＤＣ（Graphics Display Controller）１１、Ａ
ＳＩＣ（Application Specific Integrated Circuit）１２を備える。ＧＤＣ１１および
ＡＳＩＣ１２は、複数のディスプレイに共通の映像処理経路を構成する。映像処理表示装
置１０は、複数のディスプレイに共通の映像処理経路を有することにより、それぞれのディスプレイに応じた画面解像度で、供給された複数の映像コンテンツを並列して映像表示処理することができる。なお、ＧＤＣ１１が、映像生成装置の一例であり、ＡＳＩＣ１２が出力制御装置の一例である。
【００２２】
ＧＤＣ１１は、２ＤEngineや３ＤEngineといったグラフィック表示プログラムを実行する複数のプロセッサ、各種演算処理を行うＣＰＵ（Central Processing Unit）、メモリ
、各種インターフェース等を有する映像表示処理用のＬＳＩ（Large Scale Integration
）である。各種インターフェースには、入出力インターフェースの他、ＡＤＣ（Analog/digital converter）や、ＣＡＮ（Controller Area Network）、ＬＩＮ（Local Interconnect Network）、イーサネット（登録商標）等の通信インターフェースを含んでもよい。
ＧＤＣ１１のメモリは、ＧＤＣ１１の各プロセッサが各種プログラムやデータをキャッシュしたり作業領域を展開したりする記憶媒体であり、例えば、ＲＡＭ（Random Access Memory）、ＲＯＭ（Read Only Memory）、ＥＰＲＯＭ（Erasable Programmable ROM）等を
含む。ＧＤＣ１１は、例えば、ＲＯＭ等に記憶されている各種プログラムや各種データをＲＡＭ等に実行可能に展開し、各プロセッサ等が各種プログラムを実行することにより、映像コンテンツが表示されるディスプレイに応じた描画処理を行い、映像データの生成といった所定の目的に合致した機能を実現する。
【００２３】
ＡＳＩＣ１２は、入力された映像データに対して線形補正による色補正やガンマ補正といった色調補正等の表示処理を行う映像表示処理用のカスタムＩＣである。ＡＳＩＣ１２は、ＡＮＤ回路、ＯＲ回路、ＮＯＴ回路、カウンタ回路といった論理回路、加算、乗算といった信号処理回路、メモリ、ＰＬＬ（Phase-locked loop）、入出力インターフェース
等を有する。ＡＳＩＣ１２のメモリは、入出力インターフェースを介して入力された映像データや信号処理の際に参照するテーブル等を記憶する記憶媒体であり、例えば、ＲＡＭ（Random Access Memory）、ＲＯＭ（Read Only Memory）、ＥＰＲＯＭ（Erasable Programmable ROM）等を含む。
【００２４】
〔処理概要〕
図２のＧＤＣ１１は、供給された２系統の映像コンテンツに基づいて、メインディスプレイ１３、サブディスプレイ１４に表示出力する映像データを生成する。本実施形態のＧＤＣ１１は、メインディスプレイ１３の映像データ１１ａとサブディスプレイ１４の映像データ１１ｂを包含する１つの合成映像画像を生成し、ＡＳＩＣ１２に出力する。ここで、本実施形態では、複数の映像データを包含する映像データを「合成映像画像」とし、該合成映像画像の生成を「合成」と称する。複数の映像データの「合成」の仕方として、（１）フレーム別、（２）ブランキング期間を使用、（３）描画クロックの高速化の３形態で１つの合成映像画像を生成する方法が例示できる。なお、（１）、（２）のケースでは複数面の映像データを個別に描画・生成し、共通の送信フレームでＡＳＩＣ１２に出力するものである。
【００２５】
ここで、メインディスプレイ１３の映像データ１１ａは、例えば、６４０×４８０画素で構成され、サブディスプレイ１４の映像データ１１ｂは、例えば、６４０×３５０画素で構成されるとする。各画素は量子化されたＲ、Ｇ、Ｂ、の各８ビットの階調情報で表現されるとする。また、以下の説明では描画処理によって生成された映像データを“原画像”と称する。
【００２６】
上述の（１）のケースでは、ＧＤＣ１１は、例えば、映像データ１１ａおよび映像データ１１ｂを包含した１つの映像データ１１ｃを描画・生成し、同一周期の送信フレームで映像データ１１ｃをＡＳＩＣ１２に出力する。ＧＤＣ１１が描画・生成する映像データ１１ｃは、少なくとも、６４０×４８０画素で構成される映像データ１１ａと６４０×３５
０画素で構成される映像データ１１ｂを包含する画素サイズであればよい。図例では、映像データ１１ｃは、映像データ１１ａと映像データ１１ｂとが縦方向（垂直方向）に上下に並ぶため、少なくとも６４０×（４８０＋３５０）画素以上の画素サイズであればよい。なお、このような映像データ１１ｃの描画・生成は、個別に描画された映像データ１１ａの原画像と映像データ１１ｂの原画像とを各原画像の画素サイズを保持したまま合成し、１つの合成映像画像の映像データ１１ｃを生成するとしてもよい。
【００２７】
（２）のケースでは、ＧＤＣ１１は、例えば、映像データ１１ａおよび映像データ１１ｂを包含した１つの映像データ１１ｃを描画・生成する。そして、例えば、ＧＤＣ１１は、映像データ１１ａに対応するディスプレイの表示領域の有効範囲内で映像データ１１ａの画像フレームをＡＳＩＣ１２に出力し、ブランキング期間内に映像データ１１ｂを圧縮や複数フレームに跨って送信可能なようにデータサイズを分割し、ＡＳＩＣ１２に出力する。つまり、ＧＤＣ／ＡＳＩＣ間で受け渡しされる合成映像画像は、有効範囲期間＋ブランキング期間で、同一周期となる送信フレームを形成する。
【００２８】
図例では、映像データ１１ｃは、映像データ１１ａと映像データ１１ｂとが縦方向（垂直方向）に上下に並ぶため、６４０×４８０画素サイズの映像データ１１ａをメインディスプレイ１３の表示領域の有効範囲内でＡＳＩＣ１２に出力する。そして、６４０×３５０画素サイズの映像データ１１ｂをメインディスプレイ１３のブランキング期間内でＡＳＩＣ１２に出力する。一般的に、有効範囲期間とブランキング期間とを比較すると、ブランキング期間が短いため、該ブランキング期間内に映像データ１１ｂを出力するために、所定の圧縮又は複数フレームに跨って送信可能なようにデータサイズを分割する。
【００２９】
ＡＳＩＣ１２は、後述するように、ブランキング期間内に圧縮された映像データ１１ｂを、例えば、ＧＤＣ１１から通知される映像情報の圧縮率に基づいて伸張処理を行い、圧縮前のデータサイズの映像データ１１ｂに復元する。また、ＡＳＩＣ１２は、後述するように、複数フレームに跨って分割された映像データを、例えば、ＧＤＣ１１から通知される映像情報の分割前のフレーム位置情報等に基づいて結合し、分割前のデータサイズの映像データ１１ｂに復元する。
【００３０】
（３）のケースでは、ＧＤＣ１１は、例えば、クロックレート（クロック周波数）の高い処理クロックで、映像データ１１ａおよび映像データ１１ｂを包含した１つの映像データ１１ｃを描画・生成する。そして、描画密度を高めた１つの合成映像画像をディスプレイの表示領域の有効範囲内でＡＳＩＣ１２に出力する。本ケースについては、詳細な説明を後述する。
【００３１】
以上の形態でＧＤＣ１１は、映像データ１１ａおよび映像データ１１ｂを包含した１つの映像データ１１ｃを、入出力インターフェースを介してＡＳＩＣ１２に出力する。
【００３２】
本実施形態の映像システム１０は、このような合成映像画像を描画生成する処理機能をＧＤＣ１１に実行させることにより、例えば、メインディスプレイ１３およびサブディスプレイ１４に表示出力される映像データを並列して処理することができる。但し、ＧＤＣ１１で実行される、合成映像画像を描画・生成する処理機能は図２の処理例に限定される訳ではない。例えば、映像データ１１ｃは、映像データ１１ａと映像データ１１ｂとが横方向（水平方向）に並列して並ぶとした合成映像画像であってもよい。この場合、合成映像画像である映像データ１１ｃは、少なくとも（６４０＋６４０）×（４８０）画素以上の画素サイズとすることができる。複数の映像データを包含する１つの合成映像画像の画素サイズは、車載システムが要求される表示精度、車載システムの規模、映像データを表示出力するディスプレイの有効表示領域等によって適正なものを選択できる。
【００３３】
ＧＤＣ１１から出力された合成映像画像は、ＡＳＩＣ１２が備える入出力インターフェースを介してＡＳＩＣ１２に入力される。ＡＳＩＣ１２は、後述するように、入力された合成映像画像を、所定のタイミングでディスプレイごとの映像データに分離し、分離された各映像データをメモリに一時的に格納する。そして、ＡＳＩＣ１２は、例えば、各ディスプレイの表示タイミングでメモリに格納された各映像データを読み出し、色補正やガンマ補正といった色調補正等の表示処理を行う。ＡＳＩＣ１２で表示処理が施された各映像データは、ディスプレイごとの表示フレームレートで、並列して各ディスプレイに出力される。メモリに格納された各映像データの読み出しと、各映像データを対応するディスプレイに出力する表示フレームレートは、同一周期のクロック信号に基づいて処理されるため、各ディスプレイに応じた最適な表示フレームレートでそれぞれの映像データを分配・出力できる。
【００３４】
（１）のケースでは、映像データ１１ｃのフレームを、映像データ１１ａに属するフレームと映像データ１１ｂに属するフレームに区別・分類することで、メインディスプレイ１３へ出力される映像データとサブディスプレイ１４へ出力される映像データとを区別できる。
【００３５】
（２）のケースでは、映像データ１１ｃのフレームは、有効期間＋ブランキング期間で出力される。例えば、ＧＤＣ／ＡＳＩＣ間のデータ受け渡しは、映像データ１１ａに属するフレームは有効期間内で出力し、映像データ１１ｂに属するフレームはブランキング期間内で出力すると、予め設定すれば、映像データ１１ｃのフレームは区別・分類できる。その結果、メインディスプレイ１３へ出力される映像データとサブディスプレイ１４へ出力される映像データとを区別できる。
【００３６】
（３）のケースでは、ＡＳＩＣ１２は、合成映像画像である映像データ１１ｃの画像フレームを映像データ１１ａの画像フレームの領域と映像データ１１ｂの画像フレームの領域とに分割する。例えば、合成映像画像である映像データ１１ｃが映像データ１１ａと映像データ１１ｂとが縦方向（垂直方向）に上下に並ぶ場合では、垂直同期信号に同期したタイミングで合成映像画像の画像フレームを分割することにより、合成映像画像に包含されたディスプレイごとの映像データを分離できる。なお、ＡＳＩＣ１２は、ＧＤＣ１１から通知されるタイミング信号や、合成映像画像の画素情報等に基づいて、合成映像画像に包含された各映像データを分離するとしてもよい。
【００３７】
ＡＳＩＣ１２で分離された映像データ１１ａ、映像データ１１ｂは、それぞれに応じたディスプレイに、最適な表示フレームレートで並列して表示出力される。例えば、６４０×４８０画素の画像１２ａは、ナビゲーションといった映像コンテンツの映像データ１１ａとしてメインディスプレイ１３に表示出力される。同様に、６４０×３５０画素の画像１２ｂは、例えば、車両状態を示す描画画像といった映像コンテンツの映像データ１１ｂとしてサブディスプレイ１４に表示出力される。なお、ＡＳＩＣ１２は、各ディスプレイに出力される映像データ間で出力タイミングを同期させるようにしてもよい。
【００３８】
本実施形態の映像システム１０は、このような合成映像画像の分割、画素間の色補間処理といった表示処理をＡＳＩＣ１２に機能させることにより、例えば、メインディスプレイ１３に表示出力される映像データとサブディスプレイ１４に表示出力される映像データとを同期して連動することが可能となる。なお、ＡＳＩＣ１２で行われる合成映像画像の分割、表示処理等は、図２の処理例に限定されないことは言うまでもない。例えば、映像データ１１ａと映像データ１１ｂとが横方向（水平方向）に並列して並ぶ合成映像画像では、水平同期信号に同期したタイミングで合成映像画像の画素フレームを分割するとしてもよい。
【００３９】
図３は、運転席正面のインストルメントパネルに設けられた２つのサブディスプレイ１４ａに映像データを表示出力する例である。インストルメントパネルのメータフード１５内には、速度計１６ａ、回転速度計１６ｂを挟むように２つの４．３インチのサブディスプレイ１４ａが設けられている。図３の映像システム１０には、少なくとも１０．２インチのメインディスプレイ１３ａ、２つの４．３インチのサブディスプレイ１４ａに表示出力可能な映像コンテンツが供給される。なお、メインディスプレイ１３ａは、ステアリング側方の、センターコンソールといった運転席と助手席とを隔てる部分に配置される。
【００４０】
図例の映像システム１０のＧＤＣ１１は、メインディスプレイ１３ａへの表示出力系統とＡＳＩＣ１２への合成映像画像を出力する系統を備える。ＧＤＣ１１は、２つのサブディスプレイ１４ａに表示出力される映像データ１１ｄと１１ｅを包含する１つの合成映像画像１１ｆを描画・生成する。合成映像画像１１ｆは、例えば、映像データ１１ｄと映像データ１１ｅを横方向に並列して包含する画素サイズを有する１つの映像データとして、ＡＳＩＣ１２に出力される。
【００４１】
ＧＤＣ１１から出力された合成映像画像１１ｆは、ＡＳＩＣ１２によって映像データ１１ａの画像フレームと映像データ１１ｂの画像フレームとに分離または分割され、ＡＳＩＣ１２のメモリにそれぞれ一時的に格納される。ＡＳＩＣ１２のメモリに格納された各映像データは、各サブディスプレイ１４ａの表示タイミングで読み出され、それぞれに表示処理が行われ、各サブディスプレイ１４ａの表示フレームレートでＶＲＡＭ（Video RAM
）といったメモリ１７に出力される。メモリ１７に出力された各映像データは、それぞれのディスプレイ１４ａ上に表示される。ＡＳＩＣ１２では、分割処理、表示処理といった各サブディスプレイ１４ａへの表示出力処理は、同期を取りながら並列して実行できるため、各サブディスプレイ１４ａの映像データを連動して表示することが可能となる。
【００４２】
図３の映像システム１０では、例えば、ＧＤＣ１１からメインディスプレイ１３ａに表示出力する映像データを、ＡＳＩＣ１２を経由して供給するとしてもよい。例えば、ＡＳＩＣ１２において、メインディスプレイ１３ａに表示出力する映像データに、各サブディスプレイ１４ａの表示出力に係る処理遅延を与え、メインディスプレイ１３ａに表示出力するとしてもよい。ＡＳＩＣ１２を経由してメインディスプレイ１３ａに表示出力される映像データは、ＡＳＩＣ１２内のクロック信号に基づく処理遅延が付加されることで、各サブディスプレイ１４ａに表示される映像データと同期を取りながら表示出力できる。その結果、例えば、３つのディスプレイ間で表示出力される映像データの連動が可能となる。
【００４３】
以下、上述した（１）のケースを実施例１とし、（２）のケースを実施例２とし、（３）のケースを実施例３として具体的な処理を説明する。
【００４４】
＜実施例１＞
〔処理フロー〕
以下、図４から図８を参照し、本実施形態（（１）フレーム別）の映像表示処理について説明する。図４は、映像システム１０による映像データの描画、複数の映像データの合成、合成映像画像の分割、分割後の映像データの表示処理といったディスプレイごとの映像表示処理のフローチャートの例示である。映像システム１０のＧＤＣ１１は、例えば、メモリに実行可能に展開された各種プログラムにより映像データの描画処理、複数の映像データの合成等を実行する。なお、図４において、Ｓ１−Ｓ２の処理はＧＤＣ１１で実行され、Ｓ３−Ｓ４の処理はＡＳＩＣ１２で実行される。
【００４５】
図４に例示する映像表示処理のフローチャートにおいて、映像表示処理の“表示開始”は、例えば、車両のイグニッションキーが「ＯＮ」または「ＡＣＣ」位置となり、電力供
給が開始された時が提示できる。
【００４６】
映像システム１０のＧＤＣ１１は、提供された映像コンテンツに基づいて、図３に例示するメインディスプレイ１３ａ、２つのサブディスプレイ１４ａに応じた映像データの描画・生成を行う。そして、図３の例では、ＧＤＣ１１は、描画・生成された２つのサブディスプレイ１４ａの映像データ１１ｄおよび映像データ１１ｅから、それぞれの映像データを包含した１つの映像データ１１ｆを描画し生成する（Ｓ１）。図３の例では、合成映像画像として、例えば、映像データ１１ｄと映像データ１１ｅとが横方向に並列して包含された画素サイズの１つの映像データ１１ｆを描画する。
【００４７】
各サブディスプレイ１４ａの映像データ１１ｄおよび１１ｅは、例えば、６４０×３５０画素で構成され、各画素は量子化されたＲ、Ｇ、Ｂ、の各８ビットの階調情報で表現される。図３の例では、合成映像画像である映像データ１１ｆは、映像データ１１ｄと映像データ１１ｅとが横方向（水平方向）に並列して並ぶため、少なくとも（６４０＋６４０）×（３５０）画素以上の画素サイズであればよい。
【００４８】
図４に戻り、映像システム１０のＧＤＣ１１は、合成映像画像である映像データ１１ｆをＡＳＩＣ１２に出力するとともに、並列して描画生成されたメインディスプレイ１３ａの映像データを該ディスプレイに表示出力する。ＧＤＣ１１は、合成映像画像の出力にあたり、例えば、映像データ１１ｄと映像データ１１ｅの出力順を決定し、決定した各映像データの出力順を合成映像画像とともにＡＳＩＣ１２に出力する（Ｓ２）。本実施形態の合成映像画像のＡＳＩＣ１２へのデータ出力を説明するにあたり、従来の映像処理経路でのＧＤＣ／ＡＳＩＣ間のデータ出力を、図５を用いて説明する。
【００４９】
図５に、従来の映像処理経路９０による映像データの表示出力の説明図を示す。従来の映像処理経路９０は、それぞれＧＤＣ９１、ＡＳＩＣ９２を含み構成されていることは既に図１で説明した。図５のディスプレイ１の映像処理経路９０は、図１のメインディスプレイ９３の映像処理経路であり、ディスプレイ２の映像処理経路９０は、図１のサブディスプレイ９４の映像処理経路に対応する。
【００５０】
図５において、映像コンテンツに応じた映像データ（映像１、映像２）は、各ＧＤＣ９１で描画・生成され、それぞれ所定の送信フレームレートでＡＳＩＣ９２に出力されている。ここで、従来の送信フレームレートは、６０ｆｐｓ（フレーム／秒）のフレームレートである。ＧＤＣ９１Ａで描画生成された映像データは、例えば、その映像データの画素サイズを６０フレームに分割され、各フレームは６０ｆｐｓの送信フレームレートでＡＳＩＣ９２Ａに出力される。ＡＳＩＣ９２Ａに入力された“映像１”の映像データは、色調補正等といった表示処理が施され、メインディスプレイ９３の表示画面を更新するフレームレート周期で、ＡＳＩＣ９２Ａから出力される。同様に、ＧＤＣ９１Ｂで描画生成された映像データは、例えば、その映像データの画素サイズを６０フレームに分割され、各フレームは６０ｆｐｓの送信フレームレートでＡＳＩＣ９２Ｂに出力される。ＡＳＩＣ９２Ｂに入力された“映像２”の映像データは、色調補正等といった表示処理が施され、サブディスプレイ９４の表示画面を更新するフレームレート周期で、ＡＳＩＣ９２Ｂから出力される。
【００５１】
図６に、本実施形態の映像システム１０におけるＧＤＣ／ＡＳＩＣ間のデータ出力のタイミングチャートを例示する。図６（ａ）、（ｂ）は、従来の送信フレームレートで合成映像画像をＡＳＩＣ１２へ出力するタイムチャートの例である。図６（ａ）、（ｂ）において、“ディスプレイ１”および“ディスプレイ２”は、例えば、図３に例示の２つのサブディスプレイ１４ａに相当する。
【００５２】
図４に例示するフローチャートのＳ２において、ＧＤＣ１１は、１つの映像データ１１ｆに包含されるディスプレイごとの映像データの出力順を決定する。図３の例では、ＧＤＣ１１は、２つの映像データ１１ｄ、１１ｅを描画・生成し、１つの映像データ１１ｆに包含してＡＳＩＣ１２へ出力する。ＧＤＣ１１は、例えば、ＡＳＩＣ１２へ出力する奇数フレームでは映像データ１１ｄを、偶数フレームでは映像データ１１ｅを連続して順に出力することを決定する。そして、ＧＤＣ１１は、従来の映像処理経路９０と同一の送信フレームレートで映像データ１１ｆをＡＳＩＣ１２に出力すると共に、決定された各フレームの映像情報を並列してＡＳＩＣ１２に出力する。ここで、ＧＤＣ１１からＡＳＩＣ１２に出力される各フレームの映像情報は、例えば、図６に例示する映像選択信号といった形態で出力してもよく、映像データ１１ｆの一部に付加データとして埋め込み、例えば、各映像フレームデータに先行するブランキングのタイミングに合わせて通知するとしてもよい。車載システムが要求される表示精度、車載システムの規模、伝送容量や帯域幅、映像データを表示出力するディスプレイの有効表示領域等によって適正な形態を選択できる。
【００５３】
図６（ａ）は、奇数フレームにディスプレイ１の映像データ１、偶数フレームにディスプレイ２の映像データ２を包含した１つの映像データをＡＳＩＣ１２に出力する例である。図６（ａ）では、２つの映像データを描画し、フレーム毎に交互してそれぞれの映像データを出力する。各フレームは、６０ｆｐｓといった従来の映像処理経路と同一周期の送信フレームレートでＡＳＩＣ１２に出力される。そして、図例では、各フレームの映像データが映像１であるか映像２であるかを示す映像情報は、１ビットの映像選択信号としてＡＳＩＣ１２に並列して出力される。図例の映像選択信号は、出力信号レベルで高／低の２値を取るステータス信号であり、例えば、偶数フレームの期間は出力信号レベルで高ステータス状態となり、奇数フレームの期間は出力信号レベルで低ステータス状態に変化する。
【００５４】
ＡＳＩＣ１２では、映像選択信号の各ステータスに応じてフレーム毎に交互して出力される映像１および映像２の映像データを分類し、分離すればよい。
【００５５】
図７に、ＡＳＩＣ１２の概略ブロック図を例示する。図７に例示のＡＳＩＣ１２では、入力処理部１２ｃが、映像選択信号のステータス状態に応じて１つの映像データに包含された映像１、映像２の各映像データをフレームごとに分離する処理部として機能する。入力処理部１２ｃは、例えば、映像選択信号のステータス状態に応じて奇数フレームの映像データを抽出し、ディスプレイＡ用のメモリ１２ｄに格納する。同様に、入力処理部１２ｃは、映像選択信号のステータス状態に応じて偶数フレームの映像データを抽出し、ディスプレイＢ用のメモリ１２ｄに格納する。ディスプレイＡ用のメモリ１２ｄに格納されたフレームごとの映像データは、例えば、ディスプレイＡの表示タイミングで読み出され、出力制御部１２ｅで色補正やガンマ補正、コントラスト補正等といった表示処理が施され、ディスプレイＡの表示フレームレートでＡＳＩＣ１２から出力される。同様に、ディスプレイＢ用のメモリに１２ｄに格納されたフレームごとの映像データは、例えば、ディスプレイＢの表示タイミングで読み出され、出力制御部１２ｅで色補正やガンマ補正、コントラスト補正等といった表示処理が施され、ディスプレイＢの表示フレームレートでＡＳＩＣ１２から出力される。各ディスプレイに出力される映像データは、並列して出力される。
【００５６】
ＧＤＣ１１から、ＡＳＩＣ１２に出力される映像選択信号の形態は、図６（ａ）に限定されない。例えば、出力信号レベルで低から高へ変化する立ち上がり、出力信号レベルで高から低へ変化する立ち下がりといった信号のエッジに基づいて１つの映像データに包含された各映像データのフレームを分離するとしてもよい。また、ＧＤＣ１１は、例えば、奇数フレームごとにパルス信号を出力するとし、ＡＳＩＣ１２は、出力されるパルス信号
に同期させた計測信号（例えば、クロック信号）を所定期間にわたりカウントするカウンタ回路を設け、カウントされた計測信号数に応じて各映像データを分離するとしてもよい。
【００５７】
図４に例示のフローチャートに戻り、Ｓ３の映像選択信号から入力映像を分離・抽出しメモリに蓄積する処理が、ＡＳＩＣ１２の入力処理部１２ｃおよびメモリ１２ｄによって実行される。そして、例えば、図３のサブディスプレイ１４ａの表示タイミングでメモリ１２ｄに格納された映像データ（１１ｄ、１１ｅ）が読み出され、所定の表示処理が出力制御部１２ｅを介して行われ、各ディスプレイに並列して出力される（Ｓ４）。なお、ＡＳＩＣ１２は、各ディスプレイに出力される映像データ間で出力タイミングを同期させるようにしてもよい。
【００５８】
図６（ａ）のＧＤＣ１１は、６０ｆｐｓといった送信フレームレートで１つの映像データをＡＳＩＣ１２に出力する。６０ｆｐｓで送信される映像データは、奇数フレームに映像１の映像データ、偶数フレームに映像２の映像データを出力する場合、実質的に３０ｆｐｓの送信フレームレートで個別の映像データをＧＤＣ１１からＡＳＩＣ１２に出力するものと等しい。このため、６０ｆｐｓの表示フレームレートでＡＳＩＣ１２から各ディスプレイに出力される場合、連続した２フレームごとにメモリ１２ｄに格納された映像データが出力される。各ディスプレイに表示出力されるそれぞれの映像は、図例では、６０ｆｐｓの表示フレームレートで、連続した２フレームごとに更新される映像となる。つまり、ディスプレイ１に表示される映像１は、奇数フレームの映像データが２フレームごとに更新される映像となり、同様に、ディスプレイ２に表示される映像２は、偶数フレームの映像データが２フレームごとに更新される映像となる。
【００５９】
図６（ａ）の映像表示処理では、各ディスプレイ上に表示出力される映像は２フレーム分の表示フレームレートで更新されるため、例えば動画といった映像では、動画を構成する各画像間での滑らかさがやや低くなるものの、例えば、エアコンや燃費といった車両状態を描画表示する映像では、状態変化の時間間隔が２フレームごとの更新間隔より長いため、各映像間での滑らかさが問題になることはない。
【００６０】
図６（ｂ）は、ＧＤＣ１１／ＡＳＩＣ１２間の送信フレームレートを倍速としたタイムチャートの例示である。図６（ｂ）のＧＤＣ１１は、例えば、描画・生成した１つの映像データを、６０ｆｐｓの２倍にあたる１２０ｆｐｓでＡＳＩＣ１２に出力する。図６（ｂ）に例示するように、送信フレームレートが２倍となるため、６０ｆｐｓ周期の１フレーム間に、１２０ｆｐｓ周期の画像フレームで構成された２つの映像データを連続して包含することができる。
【００６１】
例えば、図６（ｂ）において、“２ｆｒｍ”といった同一フレーム番号が付与された映像１および映像２の連続したフレームの間隔は、６０ｆｐｓ周期の１フレーム間隔に等しい。１２０ｆｐｓの送信フレームレートで出力される各フレーム番号の映像１および映像２は、６０ｆｐｓ周期の送信フレームレートで出力される同一のフレームに包含される。つまり、ＧＤＣ１１は、送信フレームレートを倍速とすることにより、６０ｆｐｓの送信フレームレート内に２つの映像データを出力することが可能となる。なお、図例においては映像選択信号のレートも倍速されてＡＳＩＣ１２に出力される。
【００６２】
ＡＳＩＣ１２では、例えば、倍速の送信フレームレートで出力された映像データを映像選択信号のステータス状態に応じて映像１、映像２のデータフレームに分離すればよい。例えば、図７に例示する入力処理部１２ｃで分離された各映像データは、各ディスプレイ用のメモリｄに一時的に格納される。各メモリ１２ｄに格納された映像データは、それぞれのディスプレイの表示タイミングで読み出され、出力制御部１２ｅで表示処理が施され
、該ディスプレイの表示フレームレートでＡＳＩＣ１２から並列して出力される。
【００６３】
図６（ｂ）において、映像１は、６０ｆｐｓの表示フレームレートでＡＳＩＣ１２からディスプレイ１に出力され、映像２は、６０ｆｐｓの表示フレームレートでＡＳＩＣ１２からディスプレイ２に出力される。各映像を構成する画像フレームは、６０ｆｐｓの表示フレームレートで更新されるため、例えば、動画といった映像であっても、動画を構成する各画素間の滑らかさを低下させることない。
【００６４】
以上のように、本実施形態の映像システム１０では、ＧＤＣ１１／ＡＳＩＣ１２間のデータ出力は、同一周期の送信フレームで行われる。このため、本実施形態の映像システム１０では、異なる映像データ間でクロック周期をディスプレイに応じて調停する調停回路は不要となる。図６（ａ）に例示する形態では、例えば、エアコンや燃費といった、表示フレームレートの更新間隔より長い時間間隔で状態変化がおこる映像や静止画像では、効果的である。
【００６５】
一方、提供される映像コンテンツが、地上デジタルテレビジョン放送や高画質な再生映像であっても、ＧＤＣ１１／ＡＳＩＣ１２間の送信フレームレートを高速化して処理することにより、各ディスプレイに要求される映像品質を低下させることはない。この場合であっても、ＡＳＩＣ１２／ディスプレイ間のデータ出力は、同一周期の送信フレームで行われるため、異なる映像データ間でクロック周期をディスプレイに応じて調停する調停回路は不要となる。
【００６６】
図４に例示するフローチャートに戻り、本実施形態の映像システム１０は、例えば、車両のイグニッションキーが「ＯＦＦ」位置となり、供給した電力が停止する“表示停止”となるまで、Ｓ１−Ｓ４の処理を繰り返し継続して実行する。
【００６７】
本実施形態の映像システム１０のＧＤＣ１１／ＡＳＩＣ１２間のデータ出力は、例えば、映像コンテンツに応じて送信フレームレートを設定するとしてもよい。例えば、ＧＤＣ１１は、映像コンテンツごとに対応付けられた送信フレームレートを格納したテーブルを備えることができる。該テーブルには、例えば、「ＤＶＤ」、「ＴＶ」では「４０ｆｐｓ」、「静止画」では「２０ｆｐｓ」、「ナビゲーション」では「２０ｆｐｓ、「カメラ」では「４０ｆｐｓ」等のように、各ディスプレイが表示可能なコンテンツごとに対応付けられた送信フレームレートを格納することができる。一例として、図６の映像１が「ＤＶＤ」、「ＴＶ」、「カメラ」といった動画映像であり、映像２が「静止画」といった静止画像の場合では、２つの映像データを包含する１つの映像データを６０ｆｐｓの送信フレームレートで出力するとする。そして、６０ｆｐｓの送信フレームレートで出力される映像データには、４０ｆｐｓのフレーム間隔で映像１を含み、２０ｆｐｓのフレーム間隔で映像２を含むことができる。このように映像データが動画映像と静止画像の組み合わせの場合では、動画映像の送信フレームレートを静止画像の送信フレームレートより高くすることができる。
【００６８】
また、ＧＤＣ１１で描画・生成される映像データが、エアコンや燃費といった車両状態を描画表示する場合では、ＧＤＣ１１は、車両状態の変化に応じて描画・生成された映像データを、所定周期で送信中の映像データに割り込ませてＡＳＩＣ１２に出力することができる。図８に、一方の映像データを出力中に、車両状態の変化といった要因に起因して変化が生じた他方の映像データを割り込ませ、ＡＳＩＣ１２に出力するタイミングチャートを例示する。
【００６９】
図８の例では、例えば、ディスプレイ１に表示する映像１はカメラ等で撮像された動画像であり、ディスプレイ２に表示する映像２はエアコン等の車両状態に応じて生成された
描画画像であるとする。ＧＤＣ１１は、例えば、ディスプレイ２の表示フレームレートで変化する動画像を映像データとして一定の周期でＡＳＩＣ１２に出力する。一方、車両状態に応じて生成される描画画像の場合、車両状態が変化しない期間は画像が変化しない静止画像をＡＳＩＣ１２に出力することになる。車両状態が変化する間隔は、少なくともディスプレイ１の更新周期より長大である。このため、ＧＤＣ１１は、動画像である映像１を優先的に一定の周期でＡＳＩＣ１２に出力し続け、車両状態に応じて生成される映像２を、車両状態の変化に応じて割り込ませ、ＡＳＩＣ１２に出力することができる。
【００７０】
図８の例では、“フレーム３”で示される画像フレームが、例えば、車両状態の変化に伴って割り込まれた映像２の映像データを示している。そして、ＧＤＣ１１は、割込みが生じた映像データを識別するために、映像選択信号（割込み信号）といったステータス信号の出力信号レベルを変化させ、ＡＳＩＣ１２に出力する。ＡＳＩＣ１２では、既に説明したように、図７に例示する入力処理部１２ｃが、映像選択信号のステータス変化に応じて“フレーム３”のタイミングで出力される映像データを所定のメモリ１２ｄに格納する。メモリ１２ｄに格納された“フレーム３”の映像データは、ディスプレイ２の表示タイミングで読み出され、出力制御部１２ｅを介し、ディスプレイ２の表示フレームレートで出力される。
【００７１】
図８において、ＡＳＩＣ１２からディスプレイ２に出力される映像データは、割り込まれた“フレーム３”以降のフレームデータ列が“フレーム３”で示されている。ＡＳＩＣ１２からディスプレイ２に出力される映像データは、割り込まれた“フレーム３”の読み出しタイミングで“フレーム３”より前に出力された“フレームｘ”から変化している。ここで“フレームｘ”は、例えば、“フレーム３”以前に割り込まれた、車両状態の描画画像である。また、ＡＳＩＣ１２から並列してディスプレイ１に出力される映像データの“フレーム３”に相当する期間では、割込み以前にＧＤＣ１１から出力された“フレーム２”のデータが重複して読み出されることとなる。
【００７２】
このように、一方が動画像による映像データ、他方が静止画像による映像データを１つの映像データとしてＡＳＩＣ１２に出力する場合では、動画像を所定の周期で送信し、静止画像を、該静止画像が変化した時に動画像の送信フレームに割り込ませて出力することができる。なお、図８の例では、割り込まれた映像データを識別するために１ビットの映像選択信号を用いたが、例えば、割り込まれた映像データのフレーム位置を示す設定情報を、所定の周期で出力する映像データの一部に付加してＡＳＩＣ１２に出力するとしてもよい。
【００７３】
＜実施例２＞
次に、図９、図１０を参照し、ブランキング期間を使用して複数の映像データをＡＳＩＣ１２に出力する（２）のケースについて説明する。実施例２（以下、本実施形態と称す）の映像システム１０の映像表示処理は、ＧＤＣ／ＡＳＩＣ間の映像データの受け渡しについて、一方の映像をディスプレイに表示される映像データの有効範囲内に出力し、他方の映像を有効範囲外であるブランキング期間内に出力する。実施例２の映像システム１０の構成は、実施例１と同様に、ＧＤＣ１１、ＡＳＩＣ１２で構成される。なお、以下の説明において、映像１はディスプレイ１に表示出力される映像データであり、映像２はディスプレイ２に表示出力される映像データとする。
【００７４】
図９に、本実施形態の映像表示処理のフローチャートを例示する。図９に例示するフローチャートは、映像１をディスプレイ１の有効範囲内に出力し、映像２をディスプレイ１の有効範囲外であるブランキング期間内に出力するものである。なお、図９において、Ｓ５−Ｓ６の処理はＧＤＣ１１で実行され、Ｓ７−Ｓ８の処理はＡＳＩＣ１２で実行される。
【００７５】
図９のＳ５において、ＧＤＣ１１は、提供された映像コンテンツに基づいて、ディスプレイ１、ディスプレイ２に応じた映像データの描画・生成を行う。そして、ＧＤＣ１１は、映像１をディスプレイ１の有効範囲内に出力し、映像２をディスプレイ１の有効範囲外であるブランキング期間内に出力するため、映像２の圧縮率（縮小率）を決定する。映像２を出力するブランキング期間は、ディスプレイ１に映像１を表示するための有効範囲期間と比較して短期間のため、ＧＤＣ１１は映像２を所定の圧縮率で圧縮する。ＧＤＣ１１で決定された圧縮率（縮小率）やブランキング期間内のデータ有効範囲等の映像情報は、ＡＳＩＣ１２に通知される。ＧＤＣ１１からＡＳＩＣ１２への映像情報の通知は、例えば、図６等に例示されるように、信号レベルの高／低ステータスでブランキング期間内のデータ有効範囲を識別する映像選択信号であってもよく、映像２の一部に付加データとして埋め込んで通知するとしてもよい。また、ＧＤＣ１１からＡＳＩＣ１２への映像情報の通知のタイミングは、映像２のデータをＧＤＣ１１からＡＳＩＣ１２へ出力する初回時に通知するとしてもよい。例えば、車両状態に応じて映像２が変化する場合では、映像２の映像画像の変化のタイミングでＧＤＣ１１からＡＳＩＣ１２へ映像情報を通知するとしてもよい。
【００７６】
ＧＤＣ１１は、映像１と映像２とを包含した合成映像画像を映像情報の通知と共にＡＳＩＣ１２に出力する（Ｓ６）。なお、ＧＤＣ１１は、図３に例示するメインディスプレイ１３ａに応じて描画・生成されたナビゲーションといった映像データも並列して該ディスプレイに出力する。
【００７７】
図１０に、本実施形態の映像表示処理のタイムチャートを例示する。図１０のタイムチャートにおいて“水平同期”は、例えば、ディスプレイ１の水平方向の表示領域を示す周期的な信号であり、“有効範囲”は、映像１を表示するための有効範囲を示す。図例からも明らかなように、“水平同期”に示された水平同期信号と“有効範囲”で示された映像１を表示するための有効範囲の期間は同期している。
【００７８】
図１０において、従来のＧＤＣ１１からＡＳＩＣ１２への映像データの出力は、“現行”で示されるように、例えば、映像１といったディスプレイ１に表示出力する映像データを有効範囲期間に出力する。ここで、映像１の映像データは、水平同期信号に同期した時系列で出力されるデータフレームを構成し、映像１の各データフレームは、有効範囲期間より短い間隔のブランキング期間を介して連結されている。
【００７９】
本実施形態の映像表示処理では、ＧＤＣ１１は、“映像データ”に例示するように、有効範囲期間に映像１のデータフレームをＡＳＩＣ１２に出力し、ブランキング期間に映像２のデータフレームをＡＳＩＣ１２に出力する。図例では、映像１のデータフレームである“映像１（ｎフレーム）”出力後に続くブランキング期間に、映像２のデータフレームである“映像２（ｎフレーム）”が出力される。このようにＧＤＣ１１から出力される映像１のデータフレームと映像２のデータフレームは、１つの合成映像画像のデータフレームを構成する。
【００８０】
図９に例示するフローチャートに戻り、ＡＳＩＣ１２は、ＧＤＣ１１から出力された合成映像画像を、各映像に分離し、メモリに一時的に格納する（Ｓ６）。図７の例では、例えば、ＡＳＩＣ１２の入力処理部１２ｃが、合成映像画像の出力と共に通知される圧縮率（縮小率）やブランキング期間内でのデータ有効範囲等の映像情報に基づき、合成映像画像の分離を行う。分離された映像１および映像２は、それぞれ所定のメモリ１２ｄに格納される。
【００８１】
メモリ１２ｄに格納された映像１は、ディスプレイ１の表示タイミングで読み出され、
例えば、図７の出力制御部１２ｅといった表示処理を介し、ディスプレイ１の表示フレームレートでＡＳＩＣ１２から出力される。一方、メモリ１２ｄに格納された映像２は、ディスプレイ２の表示タイミングで読み出され、ＧＤＣ１１から通知された圧縮率に応じた伸張処理が行われる。このような伸張処理は任意であり、圧縮前の映像２の画素サイズに復元されればよい。例えば、線形補間処理やアンチエイリアシングといった画像の伸張処理に伴う画素間の補間処理が例示できる。映像２の伸張処理は、例えば、図７の出力制御部１２ｅで実行される。出力制御部１２ｅで伸張処理が施された映像２は、ディスプレイ２の表示フレームレートでＡＳＩＣ１２から出力される。映像１および映像２は、それぞれのディスプレイに並列して出力される（Ｓ７）。
【００８２】
図１０において、１２ｆで示される“映像１”のデータが、例えば、入力処理部１２ｃで分離されてメモリ１２ｄに格納された映像１の映像データである。また、１２ｇで示される“映像２”のデータが、同様に、入力処理部１２ｃで分離されてメモリ１２ｄに格納された映像２の映像データである。図例では、“映像データ”で示される有効範囲期間に出力された映像１の各データフレームが、“映像１（１ライン）”から“映像１（４８０ライン）”まで時系列順に整列している。一方、圧縮された映像２のデータ１２ｇでは、“映像データ”で示されるブランキング期間に出力された映像２の各データフレームが、“映像２（１ライン）”から“映像２（４００ライン）”まで時系列順に整列している。
【００８３】
図１０において、１２ｈで示される“映像２”のデータは、メモリ１２ｄに格納されたデータフレームごとに伸張処理が施された映像２の映像データであり、圧縮されたデータ１２ｇの各データフレームを圧縮前の映像２の画素サイズに復元したものである。復元後のデータ１２ｈでは、“映像２（１ライン）”から“映像２（４８０ライン）”まで時系列順に整列されたものとなる。
【００８４】
このように、実施例２の映像表示処理では、ディスプレイ１の有効範囲で映像１を出力し、ブランキング期間を使用して圧縮した映像２を出力することにより、複数の映像データが包含された一つの合成映像画像を出力することができる。実施例２の映像表示処理では、有効範囲期間とブランキング期間とで、複数の映像データが包含された一つの合成映像画像を出力するデータフレームとみなすことができる。
【００８５】
本実施形態の映像表示処理において、例えば、有効範囲期間で１つの映像データを出力し、ブランキング期間で圧縮された２つの映像データを出力するとしてもよい。例えば、図３に例示するメインディスプレイ１３ａに表示出力するナビゲーションの映像データをメインディスプレイ１３ａの有効期間で出力し、２つのサブディスプレイ１４ａに表示出力する車両状態を示す映像データをそれぞれ圧縮して、メインディスプレイ１３ａのブランキング期間に出力するとしてもよい。この場合、ＡＳＩＣ１２では、ＧＤＣ１１から通知される映像情報に基づいて、３つの映像データに分離すればよい。分離された各映像データは、それぞれメモリに一時的に格納され、伸張処理を含む所定の表示処理後、各ディスプレイの表示フレームレートでそれぞれのディスプレイに並列して出力される。
【００８６】
また、ブランキング期間に出力する映像データは、圧縮されたものでなく、映像データを原画像の画素サイズを複数に分割して出力し、ＡＳＩＣ１２で分割された映像データを結合し、再構築を図るとしてもよい。つまり、ＧＤＣ１１は、ディスプレイ１の映像データと複数に分割されたディスプレイ２の映像データとを包含する１つの合成映像画像をＡＳＩＣ１２に出力する。このような映像表示処理のタイミングチャートを図１１に例示する。
【００８７】
図１１に例示のタイミングチャートでは、“垂直同期（入力）”は、例えば、ディスプレイ１の垂直方向の表示領域を示す周期的な信号であり、“有効範囲”は、ディスプレイ
１の表示領域に映像１を表示するための有効範囲を示す。
【００８８】
ＧＤＣ１１は、図１１の“映像データ（入力）”に例示するように、有効範囲期間に映像１のデータフレームをＡＳＩＣ１２に出力し、ブランキング期間に所定数に分割された映像２のデータフレームをＡＳＩＣ１２に出力する。図例では、２分割された映像２を“映像２（ｎフレーム上部）”と“映像２（ｎフレーム下部）”との２フレームでＡＳＩＣ１２に出力する。
【００８９】
ＡＳＩＣ１２は、例えば、合成映像画像とともに通知される映像２の分割に係る映像情報に基づいて合成映像画像を分離し、対応するメモリに一時的に格納する。図例の“メモリ２”に例示するように、ＡＳＩＣ１２は、分離された映像２のデータをメモリに格納する際に、予め分割数に応じて格納領域を設定し、設定された所定領域に連続して分割データを格納すればよい。図例では、“バンク１ライト”のタイミングでブランキング期間に出力された“映像２（ｎフレーム上部）”がメモリに格納され、続くブランキング期間に出力された“映像２（ｎフレーム下部）”が“バンク１ライト（続き）”のタイミングでメモリに格納される。
【００９０】
“メモリ２”に格納された映像２の各分割データは、“垂直同期（出力）”で示される表示タイミングに同期して読み出される。“メモリ２”に例示するように、“垂直同期（出力）”に同期した“バンク２リード”のタイミングで、連続する２フレームに跨って読み出される。読み出された各分割データは、例えば、図３に例示する出力制御部１２ｅで結合され、分割前の映像２の画素サイズに再構築される。図１１のタイミングチャートでは、“映像１（出力）”および“映像２（出力）”に例示するように、再構築された映像２の映像データは、映像１のフレーム出力と並列し、２フレームに跨ってＡＳＩＣ１２からディスプレイ２に出力されることとなる。
【００９１】
なお、ブランキング期間に出力される映像２の分割数は任意に設定できる。例えば、３分割の場合では、３フレームに跨って各分割データを出力すればよく、ｎ分割ではｎフレームに跨ってｎ分割されたデータを出力すればよい。ＡＳＩＣ１２では、ＧＤＣ１１から通知される映像情報に基づいて、ｎ分割された各データを結合し、分割前の映像データを再構築すればよい。
【００９２】
＜実施例３＞
次に、図１２から図１４を参照し、描画クロックを高速化して複数の映像を生成する（３）のケースについて説明する。図１２に、実施例３（以下、本実施形態と称す）の映像表示処理の説明図を例示する。ＧＤＣ１１では、提供された映像コンテンツに基づいて、ディスプレイに表示出力する映像データを描画・生成することは既に説明した通りである。図１２の１１ｄに示すように、例えば、ＧＤＣ１１は、所定のクロック信号（図例では、３３ＭＨｚ）で量子化されたＲ、Ｇ、Ｂの色情報を有する、ＷＶＧＡ（Wide-VGA）といった８００×４８０画素の画面解像度で映像１の映像データを生成する。その結果、映像１の映像データ１１ｄの各画素は、所定のクロック周期で整列する。
【００９３】
本実施形態の映像表示処理では、ＧＤＣ１１は、描画・生成時のクロックレートを２倍にして、２つのディスプレイに応じた映像データを描画・生成し、１つの合成映像画像を生成する。図１２の例では、合成映像画像１１ｇには、２倍のクロックレートで描画・生成された８００×４８０画素の映像１の映像データ１１ｅと２倍のクロックレートで描画・生成された８００×４８０画素の映像２の映像データ１１ｆが包含される。映像データ１１ｅと映像データ１１ｆは、１つの合成映像画像１１ｇに水平方向（横方向）に並列して合成されている。
【００９４】
このように、本実施形態の映像表示処理では、描画・生成時のクロックレートを高速化することにより、画素密度を高めることが可能となる。ＧＤＣ１１からＡＳＩＣ１２に出力される１つの合成映像画像は、画素密度を高めた２つの映像データが整列したものである。図１２の１０ａに例示するように、ＧＤＣ１１で生成された合成映像画像１１ｇは、例えば、６０ｆｐｓといった送信フレームレートでＡＳＩＣ１２に出力される。各フレーム内には、２倍のクロックレートで描画・生成された映像１および映像２のフレームデータが原画像の画素サイズで整列して出力される。本実施形態の映像表示処理では、ＧＤＣ１１／ＡＳＩＣ１２間のデータの受け渡しは、例えば、実施例１に示すように送信フレームレートを高速化せずとも、映像１および映像２を包含した１つの映像データを原画像の画素サイズで行える。また、原画像の画素サイズでＧＤＣ１１／ＡＳＩＣ１２間のデータの受け渡しが行えるため、例えば、実施例２に示すように映像データの圧縮・伸張処理を施すこともない。
【００９５】
なお、図１２の例では、描画・生成時のＧＤＣ１１のクロックレートを２倍とし、２倍のクロックレートで２つのディスプレイに表示出力される映像データを生成していた。本実施形態の映像表示処理は、図１２の例に限定されない。例えば、３つのディスプレイに映像データを表示出力する場合では、各映像データの描画・生成処理のクロックレートを３倍にすることができる。そして、３倍のクロックレートで描画・生成された３つの映像データを１つの映像データに包含し、６０ｆｐｓといった送信フレームレートでＡＳＩＣ１２に出力すればよい。
【００９６】
このように、本実施形態では、映像システム１０が接続されるディスプレイ数とクロックレートの逓倍数は一致する。つまり、ｎ個のディスプレイに表示出力する映像データは、ｎ倍のクロックレートで描画・生成される。ｎ倍のクロックレートで描画・生成されたｎ枚の映像データは、少なくともｎ枚の映像データを包含する１つの映像データとして、所定の送信フレームレートでＡＳＩＣ１２に出力される。
【００９７】
本実施形態では、映像システム１０が接続されるディスプレイ数とクロックレートの逓倍数を一致させてＧＤＣ／ＡＳＩＣ間のデータの受け渡しを行うことにより、ＧＤＣ／ＡＳＩＣ間の送信フレームレートは、ディスプレイ数が増加しても変更することがない。つまり、２つのディスプレイを備える場合であってもｎ個のディスプレイを備える場合であっても、ＧＤＣ／ＡＳＩＣ間のデータの受け渡しは、共通した送信フレームレートを使用することができる。
【００９８】
ＡＳＩＣ１２では、例えば、合成映像画像とともにＧＤＣ１１から通知される映像情報に基づいて、合成映像画像に包含される各映像を分離すればよい。分離された映像ごとの映像データは、メモリに一時的に格納され、それぞれのディスプレイに応じた表示タイミングで読み出され、該ディスプレイに出力される。例えば、映像１の映像データはディスプレイ１の表示フレームレートでＡＳＩＣ１２から出力される。同様に、映像２の映像データはディスプレイ２の表示フレームレートでＡＳＩＣ１２から出力される。各映像データは、図１３の１０ａに例示するように、ＡＳＩＣ１２から並列して出力される。
【００９９】
図１３に、本実施形態の映像表示処理のフローチャートを例示する。図１３において、Ｓ９−Ｓ１０の処理はＧＤＣ１１で実行され、Ｓ１１−Ｓ１２の処理はＡＳＩＣ１２で実行される。なお、ＧＤＣ１１は、図３に例示のメインディスプレイ１３ａに表示出力される、例えば、ナビゲーションといった映像データの描画・生成も行う。
【０１００】
図１３のＳ９では、ＧＤＣ１１は、提供された映像コンテンツに基づいて、ディスプレイ１、ディスプレイ２に応じた映像データの描画・生成を行う。ＧＤＣ１１で描画・生成される映像１および映像２のそれぞれの映像データは、上述したように、ディスプレイ数
と一致する逓倍数である２倍のクロックレートで描画・生成された映像データである。ＧＤＣ１１は、映像１および映像２を包含する１つの映像データを生成し、１つの映像データに包含される映像の数を、映像情報としてＡＳＩＣ１２に通知する（Ｓ９）。なお、映像情報の通知は、例えば、図６等に例示されるように、信号レベルの高／低ステータスで映像データを識別する映像選択信号であってもよく、１つの映像データの一部に付加データとして埋め込んで例えば、ブランキング期間に通知するとしてもよい。また、ＧＤＣ１１からＡＳＩＣ１２への映像情報の通知のタイミングは、１つの映像データ（合成映像画像）の初回出力の時に通知するとしてもよい。
【０１０１】
ＧＤＣ１１は、映像情報の通知とともに映像１と映像２とを包含した１つの合成映像画像を所定の送信フレームレートでＡＳＩＣ１２に出力する（Ｓ１０）。なお、ＧＤＣ１１は、図３に例示するメインディスプレイ１３ａに応じて描画・生成されたナビゲーションといった映像データも並列してディスプレイ１３ａに出力する。
【０１０２】
図１４に、本実施形態の映像表示処理のタイムチャートを例示する。図１４のタイムチャートにおいて“水平同期（入力）”は、例えば、ディスプレイ１の水平方向の表示領域を示す周期的な信号であり、“有効範囲”は、ディスプレイ１に映像データを表示するための有効範囲を示す。
【０１０３】
本実施形態の映像表示処理では、ＧＤＣ１１は、“映像データ（入力）”に例示するように、有効範囲期間に合成映像画像のデータフレームをＡＳＩＣ１２に出力する。図例では、“映像１（ｎライン）”と“映像２（ｎライン）”とが前後して構成された、合成映像画像のデータフレームが有効範囲期間に同期して出力される。なお、図１２に例示するように、各映像データは、２倍のクロックレートで描画・生成された８００画素のラインデータである。
【０１０４】
図１２に例示するフローチャートに戻り、ＡＳＩＣ１２は、ＧＤＣ１１から出力された合成映像画像を、映像ごとに分離し、メモリに一時的に格納する（Ｓ１１）。合成映像画像の分離は、ＧＤＣ１１から通知された映像情報に基づき、例えば、図７に例示する入力処理部１２ｃで実行される。入力処理部１２ｃで分離された映像１のデータは、図１４の“映像１用メモリ”で示される“ラインメモリ１−１”のタイミングでメモリ１２ｄに一時的に格納される。同様に、映像２のデータは、図１４の“映像２用メモリ”で示される“ラインメモリ２−１”のタイミングでメモリ１２ｄに一時的に格納される。
【０１０５】
図１４のタイムチャートにおいて“水平同期（出力）”は、例えば、ディスプレイ１の水平方向の表示領域を示す周期的な信号であり、ディスプレイ１の表示タイミングである。メモリ１２ｄに格納された映像１は、“映像１用メモリ”で示される“ラインメモリ１−１リード”のタイミングで読み出され、“映像１（出力）”で示される“映像１（ｎライン）”のタイミングでディスプレイ１に出力される。また、メモリ１２ｄに格納された映像２は、“映像２用メモリ”で示される“ラインメモリ２−１リード”のタイミングで読み出され、“映像２（出力）”で示される“映像２（ｎライン）”のタイミングでディスプレイ２に出力される。“映像１（ｎライン）”と“映像２（ｎライン）”のタイミングは同期する。
【０１０６】
図１２のフローチャートに戻り、上述のように、分離されてメモリに格納されたそれぞれの映像データは、各ディスプレイの表示タイミングでメモリから読み出され、各ディスプレイに同じタイミングで出力される（Ｓ１２）。本実施形態の映像システム１０は、例えば、車両のイグニッションキーが「ＯＦＦ」位置となり、供給した電力が停止する“表示停止”となるまで、Ｓ９−Ｓ１２の処理を繰り返し継続して実行する。
【０１０７】
〔車載機〕
図１５に、映像システム１０を備えたＡＶＮ機１を例示する。図１５のＡＶＮ機は、車両に搭載可能な情報処理システムを構成する。なお、このような情報処理システムは、例えば、複数のディスプレイを有する携帯電話、スマートフォン、ＰＤＡ（Personal Digital Assistant）等の情報携帯端末であってもよい。また、複数のディスプレイを有するノートＰＣ（Personal Computer）、タブレットＰＣといった情報処理装置であってもよい
。
【０１０８】
制御部１０１は、ＡＶＮ機１の各部或いは接続された外部機器からの信号、また使用者の操作に基づく各操作部からの操作指示信号等の入力を受け、それら信号に基づきＡＶＮ機１の各部、或いは外部機器を統括的に制御する制御部で、例えばマイクロコンピュータ（マイコン）により構成され、ＲＯＭ等のメモリに記憶されたプログラムに従い動作する。
【０１０９】
放送受信部１０２は、アンテナにより受信された放送波から、特定の周波数の放送波を選択受信し、復調して当該放送の音声信号および画像信号を出力する受信部であり、同調回路、復調・復号回路、フレーム管理回路等により構成される。放送受信部１０２は制御部１０１からの制御信号により、そのオン／オフ、受信周波数の選択（選局）等の各種動作が制御される。
【０１１０】
ディスク再生部１０３は、ＣＤ（Compact Disc）、ＭＤ（Mini Disc）、ＤＶＤ（Digital Versatile Disc）、及びブルーレイディスク（Blu-ray Disc）などのディスクに記録
されているデータをピックアップにより読込み、読み込んだデータに基づく、音声信号、映像信号を分配回路１０８に出力する。ディスク再生部１０３は、光学ピックアップ、ピックアップディスク駆動機構、ピックアップディスク駆動機構の制御回路、読取信号の復号回路等を備え、制御部１０１からの制御信号により、オン／オフ、読み込み位置等の各種動作が制御される。
【０１１１】
ＨＤ（ハードディスク）再生部１０４は、磁気記録媒体であるハードディスクに記録された各種データから所望のデータを読み出し、読み出した画像信号、音声信号又は文字信号等を分配回路１０８に出力する。ハードディスクには、ＭＰ３ファイル等の音楽データやＪＰＥＧファイル等の画像データ、ナビゲーション用の地図データ等が記録される。ＨＤ再生部１０４は、読取信号の復号回路等を備え、制御部１０１からの制御信号によりオン／オフ、読み出すデータ等の各種動作が制御される。
【０１１２】
ナビゲーション部１０５は、ディスプレイ１１３に表示された地図上に自車位置や目的地までの経路を表示したり、交差点等で音声等により右左折等の進行方向案内を行ったり、ＶＩＣＳ情報受信部１０６から交通情報を受信して表示したり、ＧＰＳ情報受信部１０７から自車位置情報を受信して表示したりして、目的地までの経路案内を行う。ナビゲーション部１０５は、ナビゲーションの為に利用される地図情報を記録するハードディスク、各種演算処理を行うＣＰＵ（Central Processing unit）、各種処理のためにデータを
記憶するＲＡＭ（Random Access Memory）等のメモリ１１５を備える。ナビゲーション部１０５は、制御部１０１からの制御信号により、オン／オフ、各種動作が制御される。
【０１１３】
ＶＩＣＳ情報受信部１０６は、交通情報通信システム（ＶＩＣＳ（登録商標）：Vehicle Information and Communication System）に係る交通情報を受信し、受信した交通情報を出力する。ＶＩＣＳ情報受信部１０６は、交通情報通信システムからのデータを受信する受信機（ＦＭ受信機、電波ビーコン受信機、光ビーコン受信機）、受信したデータを復号する復号回路等を備える。ＧＰＳ情報受信部１０７は、ＧＰＳ（登録商標）衛星からのＧＰＳ信号に基づき自車位置を検出し、検出した現在位置情報を出力する。ＧＰＳ情報受
信部１０７は、ＧＰＳ信号を受信する受信回路、受信したＧＰＳ信号に基づき自車位置を算出する演算回路等を備える。
【０１１４】
カメラ１１９は、車両の周囲を撮影し、動画データ（映像情報及び音声情報）を外部音声／映像入力部１１８を介して入力するカメラである。カメラ１１９で撮影した映像情報は映像処理が施され、分配回路１０８、画像調整回路１０９、映像表示処理部１０を介して複数のディスプレイ１１３に表示され、駐車アシスト等に利用される。また、カメラ１１９で撮影した動画データは、ドライブレコーダ等のために分配回路１０８を介してＨＤ再生部１０４内のＨＤドライブ或いはメモリ１１５に記録されても良い。
【０１１５】
外部音声／映像入力部１１８は、カメラ１１９の動画データをディスプレイ１１３に表示させるための映像信号に変換する等の処理を行う。外部音声／映像入力部１１８は、制御部１０１からの制御信号により、オン／オフ、各種動作が制御される。
【０１１６】
分配回路１０８は、制御部１０１の制御信号により、出力することが指定された各種ソース（放送受信部１０２、ディスク再生部１０３、ＨＤ再生部１０４、及びナビゲーション部１０５、外部音声／映像入力部１１８、図示しない外部記録媒体再生部等）の音声信号と画像信号とを画像調整回路１０９及び音声調整回路１１０に出力する。分配回路１０８は、リレーまたはスイッチングトランジスタ等の電子回路で構成されたスイッチ群を備える。
【０１１７】
音声調整回路１１０は、制御部１０１の制御信号により、入力された音声信号に対し、音量、音声を調整し、調整した音声信号を出力する。音声調整回路１１０は、音声データを記憶するメモリ、音声データを演算処理するデジタルシグナルプロセッサ等の演算回路、トランジスタ、抵抗、コイル等により構成される増幅又は減衰回路や共振回路等を備える。スピーカ１１１は、音声調整回路１１０から出力された音声信号を音声として出力する。
【０１１８】
画像調整回路１０９は、制御部１０１の制御信号により、入力された画像信号に対し、輝度や色調、コントラストなどを調整し、調整した各画像信号を出力する。画像調整回路１０９は、画像データを記憶するメモリ、画像データを演算処理するデジタルシグナリングプロセッサ等の演算回路等を備える。本実施形態においては、画像調整回路１０９は、映像システム１０を構成するＧＤＣ１１として機能する。
【０１１９】
画像出力部１１２は、画像調整回路１０９から入力された画像信号と、制御部１０１からディスプレイ１１３に表示させる表示画像信号とを入力して画像合成等の処理を施し、当該処理を施した画像信号に基づきディスプレイ１１３を駆動する。本実施形態においては、画像出力部１１２は、映像システム１０を構成するＡＳＩＣ１２として機能する。ＡＳＩＣ１２は、複数のディスプレイ（１１３＃１、１１３＃２）に応じた映像データを該ディスプレイに表示出力する。
【０１２０】
ディスプレイ１１３は、画像出力部１１２（本実施形態ではＡＳＩＣ１２）から入力された画像信号に基づき画像を表示する。ディスプレイ１１３は、例えば、液晶ディスプレイ、有機ＥＬディスプレイ、プラズマディスプレイ、冷陰極フラットパネルディスプレイ等である。ディスプレイ１１３は、バックライト、液晶パネル、タッチパネル等を備える。
【０１２１】
操作部１１４は、ＡＶＮ機１に対して使用者が各種操作を行うための入力部であり、例えばタッチパネル、押釦スイッチ、回転操作スイッチ、ジョイスティック等である。操作部１１４は、ＡＶＮ機１に対する使用者による各種操作の操作状態を制御部１０１に出力
する。遠隔操作部１１６は、例えば、赤外線素子等を備えたリモコンである。遠隔操作部１１６は、操作部１１４と同様の機能を有する。
【０１２２】
ＥＴＣ車載器１２０は、ＥＴＣ（登録商標：Electronic Toll Collection）システムにおいて、ＥＴＣレーン側の端末と通信して料金を自動で支払う機能を備えた車載器である。通信ユニット１２１は、アンテナに接続された、例えば、ＤＳＲＣ（Dedicated Short Range Communication）、赤外線通信、ブルートゥース（登録商標）等の無線通信のため
の通信インターフェースである。
【０１２３】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【符号の説明】
【０１２４】
１    ＡＶＮ機
１０  映像システム
１１、９１、９１Ａ、９１Ｂ  ＧＤＣ
１２、９２、９２Ａ、９２Ｂ  ＡＳＩＣ
１２ｃ  入力処理部
１２ｄ  メモリ
１２ｅ  出力制御部
１３、１３ａ、９３  メインディスプレイ
１４、１４ａ、９４  サブディスプレイ
１５  メータフード
１６ａ  速度計
１６ｂ  回転速度計
１７  メモリ
１０１  制御部
１０２  放送受信部
１０３  ディスク再生部
１０４  ＨＤ再生部
１０５  ナビゲーション部
１０６  ＶＩＣＳ情報受信部
１０７  ＧＰＳ情報受信部
１０８  分配回路
１０９  画像調整回路（ＧＤＣ）
１１０  音声調整回路
１１１  スピーカ
１１２  画像出力部（ＡＳＩＣ）
１１３  ディスプレイ
１１４  操作部
１１５  メモリ
１１６  遠隔操作部
１１８  外部音声／映像入力部
１１９  カメラ
１２０  ＥＴＣ車載器
１２１  通信ユニット
【図１】
2013213859.tif 000003
【図２】
2013213859.tif 000004
【図３】
2013213859.tif 000005
【図４】
2013213859.tif 000006
【図５】
2013213859.tif 000007
【図６】
2013213859.tif 000008
【図７】
2013213859.tif 000009
【図８】
2013213859.tif 000010
【図９】
2013213859.tif 000011
【図１０】
2013213859.tif 000012
【図１１】
2013213859.tif 000013
【図１２】
2013213859.tif 000014
【図１３】
2013213859.tif 000015
【図１４】
2013213859.tif 000016
【図１５】
2013213859.tif 000017